(57)【特許請求の範囲】
【請求項１】
本体ケーシングと、
前記本体ケーシング内の内方位置と、前記本体ケーシング外の外方位置との間を移動可能なドラムユニットであって、
軸線方向に延びる軸を有する感光ドラムと、
前記感光ドラムの表面上に残留しているトナーを除去するように構成されるクリーニングユニットと、
前記クリーニングユニットにより除去されたトナーを搬送するように構成される搬送ユニットと、を備えるドラムユニットと、
前記内方位置に位置する前記ドラムユニットの前記感光ドラムに接触するベルトを備え、前記本体ケーシングに対して着脱可能なベルトユニットと、
前記搬送ユニットにより搬送されたトナーを収容するように構成され、前記本体ケーシングに対して着脱可能な廃トナー収容ユニットと、を備え、
前記本体ケーシングは、前記軸線方向の外方へ窪む凹部を備え、
前記凹部は、上方に向かうにつれて前記軸線方向の内方に傾斜する第１傾斜面を備え、
前記搬送ユニットは、
前記クリーニングユニットにより除去されたトナーを前記ドラムユニットの移動方向に沿って搬送するように構成される搬送部材と、
前記移動方向に延びるとともに前記搬送部材を収容する搬送管であって、前記搬送部材により搬送されたトナーを前記廃トナー収容ユニットへ向けて排出する排出口を有する搬送管と、を備え、
前記廃トナー収容ユニットは、
トナーを収容するように構成される本体部と、
前記本体部から上方に延び、前記排出口を通過したトナーを受け取るための連通口を備える接続部と、を備え、
前記連通口は、前記ドラムユニットが前記内方位置に位置している状態で、前記第１傾斜面と鉛直方向において重なっている
ことを特徴とする、画像形成装置。
【請求項２】
前記ベルトユニットと、前記廃トナー収容ユニットとは、一体として構成されていることを特徴とする、請求項１に記載の画像形成装置。
【請求項３】
前記本体ケーシングは、前記軸線方向において、前記廃トナー収容ユニットを挟んで前記凹部の反対側に配置され、上方に向かうにつれて前記軸線方向の外方に傾斜する第２傾斜面を備えていることを特徴とする、請求項１または２に記載の画像形成装置。
【請求項４】
前記本体ケーシングは、
前記軸線方向において、前記廃トナー収容ユニットを挟んで前記凹部と同じ側に配置され、前記ドラムユニットおよび前記ベルトユニットに対して電力を供給する電気的接点と、
前記軸線方向において、前記廃トナー収容ユニットを挟んで前記凹部と反対側に配置され、前記ドラムユニットおよび前記ベルトユニットに対して駆動を入力する駆動入力部と
を備えていることを特徴とする、請求項３に記載の画像形成装置。
【請求項５】
前記クリーニングユニットは、ブレードを備えていることを特徴とする、請求項１〜４のいずれか一項に記載の画像形成装置。
【請求項６】
前記搬送部材は、オーガスクリューであることを特徴とする、請求項１〜５のいずれか一項に記載の画像形成装置。
【請求項７】
前記接続部は、前記本体部と連通する中空形状であることを特徴とする、請求項１〜６のいずれか一項に記載の画像形成装置。
【請求項８】
前記搬送管は、円筒形状であり、
前記接続部の上面は、前記搬送管の外周面に沿った周面を備えており、
前記周面に前記連通口が形成されている
ことを特徴とする、請求項１〜７のいずれか一項に記載の画像形成装置。
【請求項９】
本体ケーシングと、
前記本体ケーシング内の内方位置と、前記本体ケーシング外の外方位置との間を移動可能なドラムユニットであって、
軸線方向に延びる軸を有する感光ドラムと、
前記感光ドラムの表面上に残留しているトナーを除去するように構成されるクリーニングユニットと、
前記クリーニングユニットにより除去されたトナーを搬送するように構成される搬送ユニットと、を備えるドラムユニットと、
前記内方位置に位置する前記ドラムユニットの前記感光ドラムに接触するベルトを備え、前記本体ケーシングに対して着脱可能なベルトユニットと、
前記搬送ユニットにより搬送されたトナーを収容するように構成され、前記本体ケーシングに対して着脱可能な廃トナー収容ユニットと、を備え、
前記本体ケーシングは、前記軸線方向の外方へ窪む凹部を備え、
前記凹部は、上方に向かうにつれて前記軸線方向の内方に傾斜する第１傾斜面を備え、
前記搬送ユニットは、
前記クリーニングユニットにより除去されたトナーを前記ドラムユニットの移動方向に沿って搬送するように構成される搬送部材と、
前記移動方向に延びるとともに前記搬送部材を収容する搬送管であって、前記搬送部材により搬送されたトナーを前記廃トナー収容ユニットへ向けて排出する排出口を有する搬送管と、を備え、
前記廃トナー収容ユニットは、
トナーを収容するように構成される本体部と、
前記本体部から上方に延び、前記排出口を通過したトナーを受け取るための連通口を備える接続部と、を備え、
前記接続部は、前記廃トナー収容ユニットが前記本体ケーシングに対して装着されるときに、前記凹部よりも前記軸線方向の内方を下方に移動した後、前記軸線方向の外方に移動し、前記第１傾斜面の下方において、前記凹部内に配置される
ことを特徴とする、画像形成装置。
【請求項１０】
前記廃トナー収容ユニットは、前記本体ケーシングに装着された状態において、前記外方位置から前記内方位置に向かう方向の上流側に位置する第１端部と、前記外方位置から前記内方位置に向かう方向の下流側に位置する第２端部とを有し、前記本体ケーシングに対して着脱されるときに、前記第２端部を支点として回動可能であることを特徴とする、請求項９に記載の画像形成装置。
【発明の詳細な説明】
【技術分野】
【０００１】
本発明は、電子写真方式が採用される画像形成装置に関する。
【背景技術】
【０００２】
電子写真方式の画像形成装置として、イエロー、マゼンタ、シアンおよびブラックの各色に対応する感光ドラムを有する、いわゆるタンデム型の画像形成装置が知られている。
【０００３】
このような画像形成装置として、複数の感光ドラムと、感光ドラム上の残トナーを除去する複数のドラムクリーニングユニットと、ドラムクリーニングユニットと連結され、感光ドラム上から除去された残トナーをまとめるプロセス側搬送管とを備えるプロセスユニットを着脱自在に備える画像形成装置が知られている。
【０００４】
そして、この画像形成装置では、プロセスユニットの下方に、本体ケーシングから着脱可能なベルトクリーニングユニットが配置されており、本体ケーシングに備えられるケーシング側搬送管を介して、プロセス側搬送管の廃トナーをベルトクリーニングユニットに搬送する構成が知られている（例えば、特許文献１参照）。
【先行技術文献】
【特許文献】
【０００５】
【特許文献１】特開２０１４−２１９５９９号公報
【発明の概要】
【発明が解決しようとする課題】
【０００６】
しかるに、上記した特許文献１に記載の画像形成装置では、ケーシング側搬送管は、本体ケーシングに固定されており、メンテナンスがしにくいという不具合がある。
【０００７】
そこで、ケーシング側搬送管を、ベルトクリーニングユニットと一体に形成することにより、部品点数の低減を図ることができるとともに、ベルトクリーニングユニットとまとめて本体ケーシングから着脱させる構成が検討される。
【０００８】
しかし、ベルトクリーニングユニットとケーシング側搬送管とを一体とした場合には、ケーシング側搬送管は、本体ケーシング内において、転写ユニットを避けるように配置されるために、ベルトクリーニングユニットとケーシング側搬送管とまとめて着脱するときに、その着脱経路において、ケーシング側搬送管が本体ケーシング内の部材と干渉する不具合がある。
【０００９】
そこで、本発明の目的は、廃トナー収容部を円滑に着脱することのできる画像形成装置を提供することにある。
【課題を解決するための手段】
【００１０】
本発明の画像形成装置は、本体ケーシングと、本体ケーシング内の内方位置と、本体ケーシング外の外方位置との間を移動可能なドラムユニットであって、軸線方向に延びる軸を有する感光ドラムと、感光ドラムの表面上に残留しているトナーを除去するように構成されるクリーニングユニットと、クリーニングユニットにより除去されたトナーを搬送するように構成される搬送ユニットと、を備えるドラムユニットと、内方位置に位置するドラムユニットの感光ドラムに接触するベルトを備え、本体ケーシングに対して着脱可能なベルトユニットと、搬送ユニットにより搬送されたトナーを収容するように構成され、本体ケーシングに対して着脱可能な廃トナー収容ユニットと、を備え、本体ケーシングは、軸線方向の外方へ窪む凹部を備え、凹部は、上方に向かうにつれて軸線方向の内方に傾斜する第１傾斜面を備え、搬送ユニットは、クリーニングユニットにより除去されたトナーをドラムユニットの移動方向に沿って搬送するように構成される搬送部材と、移動方向に延びるとともに搬送部材を収容する搬送管であって、搬送部材により搬送されたトナーを廃トナー収容ユニットへ向けて排出する排出口を有する搬送管と、を備え、廃トナー収容ユニットは、トナーを収容するように構成される本体部と、本体部から上方に延び、排出口を通過したトナーを受け取るための連通口を備える接続部と、を備え、連通口は、ドラムユニットが内方位置に位置している状態で、第１傾斜面と鉛直方向において重なっている。
【００１１】
このような構成によれば、廃トナー収容ユニットの連通口が第１傾斜面と鉛直方向において重なるように配置されるので、廃トナー収容ユニットを本体ケーシングから離脱させるときに、廃トナー収容ユニットを持ち上げると、連通口が形成される接続部が、第１傾斜面と接触する。
【００１２】
そのため、廃トナー収容ユニットを第１傾斜面の傾斜に沿って、軸線方向の内方へ移動させることができる。
【００１３】
これにより、廃トナー収容ユニットと、本体ケーシングとの間に、軸線方向において隙間を形成することができ、廃トナー収容ユニットを本体ケーシングから離脱させるときに、本体ケーシング内に配置される部材と接触することを抑制することができる。
【００１４】
その結果、廃トナー収容ユニットを本体ケーシングに対して円滑に着脱することができる。
【発明の効果】
【００１５】
本発明の画像形成装置では、廃トナー収容部を円滑に着脱することができる。
【図面の簡単な説明】
【００１６】
【図１】図１は、本発明の第１実施形態の画像形成装置の中央断面図である。
【図２】図２は、図１に示すドラムユニットを右上方から見た斜視図である。
【図３】図３は、図１に示すベルトユニットを右上方から見た斜視図である。
【図４】図４は、図１に示すドラムユニット、ベルトユニットおよび廃トナー収容ユニットの正面図である。
【図５】図５は、図４のＡ−Ａ断面図である。
【図６】図６Ａは、第１ユニット接点に対して第１本体接点が接触した状態を示す正断面図である。図６Ｂは、本体ケーシングに対して、廃トナー収容ユニットが装着された状態を示す正断面図である。
【図７】図７Ａは、図６Ｂに示す廃トナー収容ユニットの本体ケーシングに対する着脱を説明するための説明図であって、接続部が凹部の傾斜面に接触した状態を示す。図７Ｂは、図７Ａに引き続き、廃トナー収容ユニットの着脱を説明するための説明図であって、接続部が凹部の傾斜面に案内され、廃トナー収容ユニットが左方に位置した状態を示す。図７Ｃは、図７Ｂに引き続き、廃トナー収容ユニットの着脱を説明するための説明図であって、廃トナー収容ユニットが凹部よりも左方に位置した状態を示す。
【図８】図８Ａは、図１に示す廃トナー収容ユニットが本体ケーシング内に収容された状態を示す斜視図である。図８Ｂは、図８Ａに示す廃トナー収容ユニットの本体ケーシングに対する着脱を説明するための説明図である。
【図９】図９Ａは、図８Ａに示す第１フレームおよび廃トナー収容ユニットの側断面図である。図９Ｂは、図８Ｂに示す第１フレームおよび廃トナー収容ユニットの側断面図である。
【図１０】図１０は、本発明の第２実施形態の画像形成装置におけるベルトユニットおよび廃トナー収容ユニットの本体ケーシングに対する着脱を示す側面図である。
【発明を実施するための形態】
【００１７】
１．画像形成装置の全体構成
図１に示すように、画像形成装置１は、横置きタイプのダイレクトタンデム型カラーレーザプリンタである。
【００１８】
画像形成装置１は、開口２１を有する本体ケーシング２と、プロセスユニット３と、スキャナユニット４と、ベルトユニット５と、定着ユニット６とを備えている。
【００１９】
本体ケーシング２は、略ボックス形状に形成されている。本体ケーシング２は、フロントカバー２２と、給紙トレイ７と、排紙トレイ８とを有している。
【００２０】
開口２１は、本体ケーシング２の前端部に配置されている。開口２１は、プロセスユニット３の通過を許容するように、本体ケーシング２の内外を前後方向に連通している。
【００２１】
フロントカバー２２は、本体ケーシング２の前端部に配置されている。フロントカバー２２は、略平板形状を有している。フロントカバー２２は、上下方向に延び、その下端部を支点として本体ケーシング２の前壁に揺動可能に支持されている。フロントカバー２２は、開口２１を開放または閉鎖するように構成されている。
【００２２】
給紙トレイ７は、本体ケーシング２の底部に配置されている。給紙トレイ７は、用紙Ｐを収容するように構成されている。
【００２３】
排紙トレイ８は、本体ケーシング２の上壁に配置されている。排紙トレイ８は、用紙Ｐが載置されるように、本体ケーシング２の上面から下方へ凹んでいる。
【００２４】
プロセスユニット３は、本体ケーシング２の中央に配置されている。プロセスユニット３は、開口２１を介して、本体ケーシング２内に位置する内方位置と、本体ケーシング２外に位置する外方位置とに、前後方向に沿ってスライド移動可能である。プロセスユニット３は、ドラムユニット９と、複数（４つ）の現像カートリッジ１０とを備えている。
【００２５】
ドラムユニット９は、複数（４つ）の感光ドラム１１と、複数（４つ）のスコロトロン型帯電器１２とを備えている。
【００２６】
感光ドラム１１は、プロセスユニット３の下端部に回転可能に支持されている。４つの感光ドラム１１は、イエロー、マゼンタ、シアン、ブラックに対応している。４つの感光ドラム１１は、前方から後方に向かって、イエロー、マゼンタ、シアン、ブラックの順に互いに間隔を隔てて並列配置されている。感光ドラム１１は、左右方向に延びる略円筒形状を有している。
【００２７】
スコロトロン型帯電器１２は、対応する感光ドラム１１の後上方に間隔を隔てて配置されている。
【００２８】
４つの現像カートリッジ１０は、内部に収容されるトナーの色を除いて、同じ構成である。現像カートリッジ１０は、対応する感光ドラム１１の上方に配置されている。現像カートリッジ１０は、現像ローラ１３と、供給ローラ１４とを備えている。
【００２９】
現像ローラ１３は、現像カートリッジ１０の下端部において、後方へ露出するように回転可能に支持されている。現像ローラ１３は、感光ドラム１１の前上端部に接触している。
【００３０】
供給ローラ１４は、現像ローラ１３の前上方に配置されている。供給ローラ１４は、現像ローラ１３の前上端部に接触している。
【００３１】
スキャナユニット４は、本体ケーシング２の上端部に配置されている。スキャナユニット４は、図１に実線で示すように、感光ドラム１１に向かって、画像データに基づいてレーザービームを出射し、感光ドラム１１を露光する。
【００３２】
ベルトユニット５は、プロセスユニット３の下方に配置されている。ベルトユニット５は、本体ケーシング２に対して着脱可能に構成されている。ベルトユニット５は、駆動ローラ１５、従動ローラ１６と、ベルト１７と、複数（４つ）の転写ローラ１８とを備えている。
【００３３】
駆動ローラ１５は、ベルトユニット５の後端部に配置されている。
【００３４】
従動ローラ１６は、駆動ローラ１５の前方に間隔を隔てて対向配置されるように、ベルトユニット５の前端部に配置されている。
【００３５】
ベルト１７は、ドラムユニット９が内方位置に位置するときに、その上方部分がすべての感光ドラム１１と接触するように、駆動ローラ１５および従動ローラ１６の周りに巻回されている。ベルト１７は、駆動ローラ１５の駆動、および、従動ローラ１６の従動により、その上方部分が前方から後方へ向かって移動するように、周回移動される。
【００３６】
転写ローラ１８は、対応する感光ドラム１１の下方において、ベルト１７の上方部分を挟んで、感光ドラム１１と反対側に配置されている。
【００３７】
定着ユニット６は、ベルトユニット５の後方に配置されている。定着ユニット６は、加熱ローラ１９と、加熱ローラ１９に接触する加圧ローラ２０とを備えている。
【００３８】
そして、画像形成装置１が画像形成動作を開始すると、スコロトロン型帯電器１２は、感光ドラム１１の表面を一様に帯電する。その後、スキャナユニット４は、感光ドラム１１の表面を露光する。これにより、画像データに基づく静電潜像が、感光ドラム１１の表面に形成される。
【００３９】
また、供給ローラ１４は、現像カートリッジ１０内のトナーを現像ローラ１３に供給する。このとき、トナーは、現像ローラ１３と供給ローラ１４との間で正極性に摩擦帯電され、現像ローラ１３上に担持される。
【００４０】
そして、現像ローラ１３は、担持されたトナーを、感光ドラム１１の表面上の静電潜像に供給する。これにより、トナー像が、感光ドラム１１の表面上に担持される。
【００４１】
用紙Ｐは、各種ローラの回転により、給紙トレイ７から前上方へ搬送された後、後上方へＵターンされて、所定のタイミングで１枚ずつ、イエローの感光ドラム１１とベルト１７との間に給紙される。その後、用紙Ｐは、ベルト１７によって前方から後方へ向かって搬送される。感光ドラム１１上のトナー像は、用紙Ｐが感光ドラム１１と転写ローラ１８との間を通過するときに、用紙Ｐに転写される。
【００４２】
その後、用紙Ｐは、加熱ローラ１９と加圧ローラ２０との間を通過するときに加熱および加圧される。このとき、用紙Ｐ上のトナー像は、用紙Ｐに熱定着される。その後、用紙Ｐは、排紙トレイ８に排紙される。
２．本体ケーシングの詳細
本体ケーシング２は、図６Ａおよび図６Ｂに示すように、第１フレーム３１と、第２フレーム３２とを備えている。
【００４３】
第１フレーム３１は、図６Ａおよび図８Ａに示すように、本体ケーシング２の右端部に配置されている。第１フレーム３１は、側面視略矩形の略平板形状を有している。第１フレーム３１は、凹部３８を有する第１サイドフレーム３４と、第１ロアフレーム３５とを備えている。
【００４４】
第１サイドフレーム３４は、第１フレーム３１の上方半分を構成している。第１サイドフレーム３４は、側面視略矩形の略平板形状を有している。第１サイドフレーム３４は、当接部４０と、複数（４つ）の第１本体接点４１と、１つの第２本体接点４２と、複数（４つ）の第３本体接点４３とを備えている。
【００４５】
凹部３８は、図８Ａに示すように、第１サイドフレーム３４の前下端部に配置されている。凹部３８は、第１サイドフレーム３４の左面から右方に向かって窪んでいる。第１サイドフレーム３４は、側面視略矩形状を有している。また、第１サイドフレーム３４は、図６Ｂに示すように、正断面視において、上端部が左方に向かうにつれて、上方に傾斜する略台形状を有している。なお、第１サイドフレーム３４の上面は、第１傾斜面３８Ａとして構成されている。
【００４６】
当接部４０は、図８Ａおよび図８Ｂに示すように、第１サイドフレーム３４において、凹部３８の前方に隣接配置されている。当接部４０は、その前下面が後方に向かうにつれて、下方に傾斜する側面視略三角形状の略平板形状を有している。
【００４７】
４つの第１本体接点４１は、図８Ａに示すように、第１サイドフレーム３４の下端部において、前後方向に互いに間隔を隔てて配置されている。第１本体接点４１は、図６Ａに示すように、金属からからなる線材が巻回された左右方向に延びるコイルばねから形成されている。第１本体接点４１は、その右端部が、第１サイドフレーム３４内に固定され、その左端部が第１サイドフレーム３４の左面よりも左方に突出している。第１本体接点４１は、図示しない外部の電源と電気的に接続されている。第１本体接点４１は、本体電気接点および電気的接点の一例として構成されている。
【００４８】
１つの第２本体接点４２は、図８Ａに示すように、最前端の第１本体接点４１と、前方から２番目の第１本体接点４１との間に配置されている。第２本体接点４２は、図示しないが、第１本体接点４１と同様に左右方向に延びるコイルばねから形成されており、その右端部が第１サイドフレーム３４内に固定され、その左端部が第１サイドフレーム３４の左面よりも左方に突出している。第２本体接点４２は、図示しない外部の電源と電気的に接続されている。第２本体接点４２は、電気的接点の一例として構成されている。
【００４９】
４つの第３本体接点４３は、第１サイドフレーム３４の上下方向略中央部分において、前後方向に互いに間隔を隔てて配置されている。第３本体接点４３は、図示しないが、第１本体接点４１および第２本体接点４２と同様に、左右方向に延びるコイルばねから形成されており、その右端部が第１サイドフレーム３４内に固定され、その左端部が第１サイドフレーム３４の左面よりも左方に突出している。第３本体接点４３は、図示しない外部の電源と電気的に接続されている。第３本体接点４３は、電気的接点の一例として構成されている。
【００５０】
第１ロアフレーム３５は、図６Ａおよび図８Ａに示すように、第１サイドフレーム３４の下端部から連続して下方に延びている。第１ロアフレーム３５は、側面視略矩形の略平板形状を有している。第１ロアフレーム３５の左端部は、第１サイドフレーム３４の左端部よりも左方に突出している。第１ロアフレーム３５は、図９Ａおよび図９Ｂに示すように、支持部５０と、膨出部５１とを備えている。
【００５１】
支持部５０は、第１サイドフレーム３４の左端部よりも左方に突出した部分であって、前後方向に延びる略平板形状を有している。支持部５０は、受入れ部５３を備えている。
【００５２】
受入れ部５３は、支持部５０の前端部に配置されている。なお、受入れ部５３は、図示しないが、凹部３８の後方に隣接配置されている。受入れ部５３は、支持部５０の上面から上方に向かって突出し、上方が開放された側面視略Ｕ字の略平板形状を有している。
【００５３】
膨出部５１は、支持部５０の後方半分における上面から上方に向かって膨出している。膨出部５１は、前後方向に延びる略角柱形状を有している。膨出部５１は、位置決め部５４を備えている。
【００５４】
位置決め部５４は、膨出部５１の後端部に配置されている。位置決め部５４は、膨出部５１の上面から上方に延びた後、前上方に向かって延び、さらに、前方に向かって延びる略爪形状を有している。
【００５５】
第２フレーム３２は、図６Ａおよび図６Ｂに示すように、第１フレーム３１から左方に間隔を隔てて、本体ケーシング２の左端部に配置されている。第２フレーム３２は、側面視略矩形の略平板形状を有している。第２フレーム３２は、第２サイドフレーム５７と、第２ロアフレーム５８とを備えている。
【００５６】
第２サイドフレーム５７は、第２フレーム３２の上方半分を構成している。第２サイドフレーム５７は、側面視略矩形の略平板形状を有している。第２サイドフレーム５７は、図３および図４に示すように、複数（４つ）の本体カップリング６１と、駆動入力部の駆動ギア６２とを備えている。
【００５７】
４つの本体カップリング６１は、図４に示すように、前後方向に互いに間隔を隔てて並列配置されている。本体カップリング６１は、対応する感光ドラム１１の左方に配置されており、プロセスユニット３が本体ケーシング２に装着された状態において、その右端部が感光ドラム１１の左端部に嵌まるように構成されている。本体カップリング６１は、公知の連動機構により、フロントカバー２２の開閉動作に連動して、左右方向に沿って移動するように構成されている。また、本体カップリング６１は、本体ケーシング２に備えられる図示しないモータなどの駆動源からの駆動力が伝達されることにより、回転するように構成されている。本体カップリング６１は、駆動入力部の一例として構成されている。
【００５８】
駆動ギア６２は、図３に示すように、第２サイドフレーム５７の後下端部に配置されている。駆動ギア６２は、左右方向に延びる略円筒形状を有しており、その周面すべてにギア歯を備えている。駆動ギア６２は、ベルトユニット５が本体ケーシング２に装着された状態において、その前上端部が駆動ローラ１５の図示しない駆動受部に対して、噛合するように構成されている。また、駆動ギア６２は、本体ケーシング２に備えられる図示しないモータなどの駆動源からの駆動力が伝達されることにより、回転するように構成されている。
【００５９】
第２ロアフレーム５８は、図６Ａに示すように、第２サイドフレーム５７の下端部から連続して下方に延びている。第２ロアフレーム５８は、側面視略矩形の略平板形状を有している。第２ロアフレーム５８の右端部は、第２サイドフレーム５７の右端部よりも右方に突出している。また、第２ロアフレーム５８は、突出部６４を備えている。
【００６０】
突出部６４は、第２ロアフレーム５８の前上端部に配置されている。第２ロアフレーム５８は、第２ロアフレーム５８の上面から上方に向かって突出し、その右面が上方に向かうにつれて、左方に向かって傾斜する正面視略三角形状を有している。なお、突出部６４の右面は、第２傾斜面６４Ａとして構成されている。
【００６１】
また、第２ロアフレーム５８は、図示しないが、第１フレーム３１の第１ロアフレーム３５と同様に、受入れ部５３を有する支持部５０と、位置決め部５４を有する膨出部５１と備えている。第２ロアフレーム５８の支持部５０および膨出部５１は、本体ケーシング２の正面視略中央を挟んで、第１ロアフレーム３５の支持部５０および膨出部５１と左右対称に構成されている。
３．ドラムユニットの詳細
ドラムユニット９は、図２に示すように、平面視略矩形の枠形状を有している。ドラムユニット９は、クリーニングユニット８０と、搬送ユニット８１と、前板８２と、後板８３と、第１側板８４と、第２側板８５とを備えている。
（１）クリーニングユニット
クリーニングユニット８０は、図１および図２に示すように、対応する感光ドラム１１の後方に配置されている。クリーニングユニット８０は、感光ドラム１１の表面に付着、残留したトナーを除去するように構成されている。クリーニングユニット８０は、図１に示すように、フレーム８７と、ブレード８８と、クリーニング搬送部材８９とを備えている。
【００６２】
フレーム８７は、左右方向に延び、左端部が閉鎖され、右端部と前端部とが開放された略半円筒形状を有している。
【００６３】
ブレード８８は、左右方向に延びる略平板形状を有している。ブレード８８の上端部は、フレーム８７の上端部に固定されている。ブレード８８の下端部は、フレーム８７の前方における開放部分の上方半分を被覆するように、フレーム８７の前方に向かい合っている。また、ブレード８８の下端部は、後方に湾曲した状態で、感光ドラム１１の後端部に接触している。
【００６４】
クリーニング搬送部材８９は、フレーム８７内に配置されている。クリーニング搬送部材８９は、左右方向に延びる右ねじ状のオーガスクリューである。クリーニング搬送部材８９の左端部は、フレーム８７の左壁に相対回転可能に支持されている。
（２）搬送ユニット
搬送ユニット８１は、図２および図４に示すように、ドラムユニット９の右下端部に配置されている。搬送ユニット８１は、クリーニングユニット８０によって感光ドラム１１の表面上から除去されたトナーを、後述する廃トナー収容ユニット１４３へ搬送するように構成されている。搬送ユニット８１は、図５に示すように、搬送管９０と、搬送部材の一例としての第１搬送部材９１と、搬送部材の一例としての第２搬送部材９２と、シャッタユニット９３とを備えている。
【００６５】
搬送管９０は、前後方向、すなわち、ドラムユニット９の移動方向に延びている。搬送管９０は、第１搬送管９６と、複数（４つ）の連結部９７と、第２搬送管９８と、排出口１０１を有する第３搬送管９９とを備えている。
【００６６】
第１搬送管９６は、前後方向に延び、後端部が閉鎖された略円筒形状を有している。第１搬送管９６は、ドラムユニット９の前後方向全域にわたって延びている。
【００６７】
４つの連結部９７は、第１搬送管９６の上方において、前後方向に互いに間隔を隔てて配置されている。連結部９７は、対応するクリーニングユニット８０のフレーム８７の右端部と、第１搬送管９６の上端部とを連結する略筒形状を有している。連結部９７は、対応するフレーム８７と、第１搬送管９６との内外を連通している。
【００６８】
第２搬送管９８は、第１搬送管９６の前端部から、右下方に向かって延びる略角筒形状を有している。
【００６９】
第３搬送管９９は、第２搬送管９８の右下端部から後方に延び、後端部が閉鎖された略円筒形状を有している。第３搬送管９９は、第２搬送管９８によって、第１搬送管９６とその内外が連通されるように接続されている。第３搬送管９９の後端部は、最前端の感光ドラム１１の中心軸線よりも前方、かつ、最前端の第１本体接点４１よりも前方に位置している。
【００７０】
排出口１０１は、第３搬送管９９の後端部に配置されている。排出口１０１は、第３搬送管９９の下方周壁を上下方向に貫通している。排出口１０１は、底面視略矩形状を有している。排出口１０１は、最前端の感光ドラム１１の中心軸線よりも前方、かつ、最前端の第１本体接点４１よりも前方に位置している。
【００７１】
第１搬送部材９１は、第１搬送管９６内に配置されている。第１搬送部材９１は、前後方向に延びる右ねじ状のオーガスクリューである。第１搬送部材９１の後端部は、第１搬送管９６の後壁に回転可能に支持されている。第１搬送部材９１の前端部は、第１搬送管９６の前端部よりも前方まで延び、第２搬送管９８の前壁に回転可能に支持されている。
【００７２】
第２搬送部材９２は、第３搬送管９９内に配置されている。第２搬送部材９２は、前後方向に延びる右ねじ状のオーガスクリューである。第２搬送部材９２の前後方向寸法は、第１搬送部材９１の前後方向寸法よりも短い。第２搬送部材９２の後端部は、第３搬送管９９の後壁に回転可能に支持されている。第２搬送部材９２の前端部は、第３搬送管９９の前端部よりも前方まで延び、第２搬送管９８の前壁に回転可能に支持されている。
【００７３】
シャッタユニット９３は、図２に示すように、搬送管９０の第３搬送管９９に組み付けられている。シャッタユニット９３は、シャッタ１１０と、付勢部材１１１とを備えている。
【００７４】
シャッタ１１０は、第３搬送管９９の排出口１０１を閉鎖する図２に示す閉鎖位置と、第３搬送管９９の排出口１０１を開放する図５に示す開放位置とに回動可能に構成されている。なお、以下のシャッタ１１０の説明においては、シャッタ１１０が、図２に示す閉鎖位置にある状態を基準として説明する。
【００７５】
シャッタ１１０は、図２に示すように、連通穴１１４を有するシャッタ本体１１３と、突起部１１５とを備えている。
【００７６】
シャッタ本体１１３は、前後方向に延びる略円筒形状を有している。シャッタ本体１１３は、その内部に第３搬送管９９を受け入れている。
【００７７】
連通穴１１４は、図２に示すように、シャッタ本体１１３の右方周壁を左右方向に貫通している。連通穴１１４は、側面視略矩形状を有している。連通穴１１４は、前後方向において、第３搬送管９９の排出口１０１と略同じ位置に位置している。
【００７８】
突起部１１５は、シャッタ本体１１３の右前端部から右方に向かって突出する側面視略Ｌ字状の略平板形状を有している。突起部１１５の前端部は、シャッタ本体１１３の前端部よりも前方に位置している。なお、突起部１１５は、シャッタ１１０が図２に示す閉鎖位置に位置するときに、シャッタ本体１１３から右方に向かって延び、シャッタ１１０が図５に示す開放位置に位置するときに、本体ケーシング２の当接部４０と当接することにより、シャッタ本体１１３から下方に向かって延びるように配置される。
【００７９】
付勢部材１１１は、図２に示すように、前後方向に沿って線材が螺旋状に巻回されるコイル形状を有するコイルばねである。付勢部材１１１は、その内部に第３搬送管９９の前端部を受け入れている。付勢部材１１１は、前後方向において、シャッタ１１０の突起部１１５と重なっている。付勢部材１１１は、図示しないが、その線材の一端部が第３搬送管９９に固定され、その他端部が突起部１１５に固定されており、常には、シャッタ１１０が閉鎖位置に位置するように、シャッタ本体１１３を正面視反時計回り方向に付勢している。
（３）前板、後板、第１側板および第２側板
前板８２は、ドラムユニット９の前端部に配置されている。前板８２は、左右方向に長い正面視略矩形の略平板形状を有している。
【００８０】
後板８３は、ドラムユニット９の後端部に配置されている。後板８３は、左右方向に長い正面視略矩形の略平板形状を有している。
【００８１】
第１側板８４は、ドラムユニット９の右端部に配置されている。第１側板８４は、側面視略矩形の略平板形状を有している。第１側板８４は、複数（４つ）のドラム接点１２０を備えている。
【００８２】
４つのドラム接点１２０は、第１側板８４の上下方向略中央において、前後方向に互いに間隔を隔てて配置されている。ドラム接点１２０は、スコロトロン型帯電器１２の右端部と連結されている。ドラム接点１２０は、ドラムユニット９が内方位置に位置するときに、対応する第１フレーム３１の第３本体接点４３と接触し、ドラムユニット９のスコロトロン型帯電器１２に対して、図示しない外部の電源からの電力を供給するように構成されている。
【００８３】
第２側板８５は、第１側板８４から左方に間隔を隔てて、ドラムユニット９の左端部に配置されている。第２側板８５は、側面視略矩形の略平板形状を有している。
４．ベルトユニットの構成
ベルトユニット５は、図１および図３に示すように、クリーニングローラ１３５と、ベルトフレーム１３６と、複数（４つ）の第１ユニット接点１３７と、１つの第２ユニット接点１３８とを備えている。
【００８４】
クリーニングローラ１３５は、図１に示すように、最前端の転写ローラ１８と、前方から２番目の転写ローラ１８との間に配置されている。クリーニングローラ１３５は、左右方向に延びる略円柱形状を有している。クリーニングローラ１３５の下端部は、ベルト１７の下方部分の上面と接触している。
【００８５】
ベルトフレーム１３６は、図３に示すように、略枠形状を有している。ベルトフレーム１３６は、上記した駆動ローラ１５、従動ローラ１６、４つの転写ローラ１８、クリーニングローラ１３５およびベルト１７を支持している。ベルトフレーム１３６は、図４に示すように、ベルト１７の左右方向両端部よりも左右方向外方まで延びている。なお、図３に示すように、ベルトフレーム１３６の前端部、すなわち前後方向において開口２１に近い端部を第１端部ＢＥ１とし、ベルトフレーム１３６の後端部を第２端部ＢＥ２とする。
【００８６】
４つの第１ユニット接点１３７は、図３に示すように、ベルトユニット５の右側面において、前後方向に互いに間隔を隔てて配置されている。最前端の第１ユニット接点１３７は、第１端部ＢＥ１に配置されており、最後端の第１ユニット接点１３７は、第２端部ＢＥ２に配置されている。第１ユニット接点１３７は、図３および図６Ａに示すように、金属からなり、正面視略Ｌ字状の略平板形状を有している。つまり、第１ユニット接点１３７は、金属板である。具体的には、第１ユニット接点１３７は、接触部１３７Ａと、接続部１３７Ｂとを備えている。
【００８７】
接触部１３７Ａは、側面視略矩形の略平板形状を有している。
【００８８】
接続部１３７Ｂは、接触部１３７Ａの上端縁から、左方に向かって延びる平面視略矩形の略平板形状を有している。接続部１３７Ｂは、転写ローラ１８と電気的に接続されている。
【００８９】
そして、第１ユニット接点１３７は、その接触部１３７Ａが対応する第１本体接点４１と接触することで、接続部１３７Ｂが対応する転写ローラ１８に電力を供給するように構成されている。第１ユニット接点１３７は、ユニット電気接点の一例として構成されている。
【００９０】
第２ユニット接点１３８は、図３に示すように、最前端の第１ユニット接点１３７と、前方から２番目の第１ユニット接点１３７との間に配置されている。第２ユニット接点１３８は、正面視略Ｌ字状の略平板形状を有している。具体的には、第２ユニット接点１３８は、接触部１３８Ａと、第１接続部１３８Ｂと、第２接続部１３８Ｃとを備えている。
【００９１】
接触部１３８Ａは、側面視略矩形の略平板形状を有している。
【００９２】
第１接続部１３８Ｂは、接触部１３８Ａの上端縁から、左方に向かって延び、その前端部が、接触部１３８Ａよりも前方に位置する平面視略矩形の略平板形状を有している。
【００９３】
第２接続部１３８Ｃは、第１接続部１３８Ｂの右端縁における前端部から、下方に向かって延びる側面視略矩形の略平板形状を有している。第２接続部１３８Ｃは、クリーニングローラ１３５と電気的に接続されている。
【００９４】
そして、第２ユニット接点１３８は、その接触部１３８Ａが第２本体接点４２と接触することで、第１接続部１３８Ｂを介して、第２接続部１３８Ｃから、クリーニングローラ１３５に対して電力を供給するように構成されている。
５．廃トナー収容ユニットの構成
画像形成装置１は、図１および図４に示すように、さらに、廃トナー収容ユニット１４３を備えている。
【００９５】
廃トナー収容ユニット１４３は、本体ケーシング２内において、ベルトユニット５に対して、内方位置に位置するドラムユニット９の反対側、すなわち、ベルトユニット５の下方に配置されている。廃トナー収容ユニット１４３は、本体ケーシング２に対して着脱可能に構成されている。廃トナー収容ユニット１４３は、本体部１４５と、接続部１４６と、１次ローラ１４７と、２次ローラ１４８とを備えている。
【００９６】
本体部１４５は、図８Ａおよび図９Ａに示すように、略ボックス形状を有している。本体部１４５は、クリーニングユニット８０で除去されたトナーを貯留するように構成されている。本体部１４５は、第１ボス１５１と、第２ボス１５２と、第３ボス１５３と、第４ボス１５４と、把持部１５５とを備えている。
【００９７】
第１ボス１５１は、図９Ａに示すように、本体部１４５の前右端部に配置されている。第１ボス１５１は、本体部１４５の右壁から右方に向かって突出する略円筒形状を有している。第１ボス１５１は、第１フレーム３１の受入れ部５３に対して、上方から嵌まっている。
【００９８】
第２ボス１５２は、図８Ａに示すように、本体部１４５の前左端部に配置されている。第２ボス１５２は、第１ボス１５１と中心軸線を共有し、本体部１４５の左壁から左方に向かって突出する略円筒形状を有している。第２ボス１５２は、図示しないが、第２フレーム３２の受入れ部５３に対して、上方から嵌まっている。
【００９９】
第３ボス１５３は、図９Ａに示すように、第１ボス１５１から後方に間隔を隔てて、本体部１４５の右後端部に配置されている。第３ボス１５３は、本体部１４５の右壁から右方に向かって突出する略円筒形状を有している。第３ボス１５３は、第１フレーム３１の位置決め部５４に対して、前方から嵌まっている。
【０１００】
第４ボス１５４は、図８Ａに示すように、第２ボス１５２から後方に間隔を隔てて、本体部１４５の左後端部に配置されている。第４ボス１５４は、第３ボス１５３と中心軸線を共有し、本体部１４５の左壁から左方に向かって突出する略円筒形状を有している。第４ボス１５４は、図示しないが、第２フレーム３２の位置決め部５４に対して、前方から嵌まっている。
【０１０１】
把持部１５５は、本体部１４５の前端部に配置されている。把持部１５５は、後方が開放された平面視略Ｕ字状を有している。把持部１５５は、その一端部および他端部が把持部１５５の前端部に接続されている。
【０１０２】
接続部１４６は、廃トナー収容ユニット１４３の右前端部に配置されている。接続部１４６は、第１部分１５７と、第２部分１５８と、連通口１６０を有する第３部分１５９とを備えている。
【０１０３】
第１部分１５７は、本体部１４５の前壁から前方に向かって延びる略ボックス形状を有している。第１部分１５７の後端部は、本体部１４５の内部空間に連通している。
【０１０４】
第２部分１５８は、第１部分１５７の右前端部から右方に向かって延びる略角筒形状を有している。第２部分１５８の左端部は、第１部分１５７の内部空間に連通している。
【０１０５】
第３部分１５９は、第２部分１５８の右端部から上方に向かって延びる略角筒形状を有している。第３部分１５９の下端部は、第２部分１５８と連通している。第３部分１５９の上端部は、第３搬送管９９の周面に沿って湾曲する周面１５９Ａとして構成されている。
【０１０６】
連通口１６０は、第３部分１５９の上端部のおける連通部分である。つまり、連通口１６０は、周面１５９Ａに形成されている。
【０１０７】
このように、接続部１４６は、本体部１４５と連通する中空形状を有している。
【０１０８】
そして、接続部１４６の第２部分１５８の右端部および第３部分１５９は、図６Ｂおよび図８Ａに示すように、第１サイドフレーム３４の凹部３８内に収容されている。このとき、図６Ａおよび図６Ｂに示すように、接続部１４６の第３部分１５９の左端部は、第１本体接点４１の左端部よりも、右方に位置している。また、連通口１６０は、凹部３８の第１傾斜面３８Ａと、上下方向において重なっている。
【０１０９】
そして、接続部１４６は、図５に示すように、ドラムユニット９が内方位置に位置するときに、第３搬送管９９の排出口１０１の下方に位置し、排出口１０１と連通している。つまり、排出口１０１は、ドラムユニット９が内方位置から外方位置に向かう方向において、最下流に位置する第１ユニット接点１３７よりも下流側に位置する。
【０１１０】
１次ローラ１４７は、図１に示すように、本体部１４５内の上端に回転自在に配置されている。１次ローラ１４７は、左右方向に延びる略円柱形状を有している。１次ローラ１４７は、ベルト１７の下方部分に対して、下方から接触している。１次ローラ１４７は、図示しない第１フレーム３１の電気接点を介して、図示しない外部の電源からの電力が供給されるように構成されている。
【０１１１】
２次ローラ１４８は、本体部１４５内において、１次ローラ１４７の後下方に対して接触するようにして、回転自在に配置されている。２次ローラ１４８は、左右方向に延びる略円柱形状を有している。２次ローラ１４８は、図示しない第１フレーム３１の電気接点を介して、図示しない外部の電源からの電力が供給されるように構成されている。
【０１１２】
なお、図８Ａおよび図９Ａに示すように、廃トナー収容ユニット１４３の前端部、すなわちドラムユニット９が外方位置から内方位置に向かう方向の上流側の端部を第１端部ＴＥ１とし、廃トナー収容ユニット１４３の後端部、すなわち、ドラムユニット９が外方位置から内方位置に向かう方向の下流側の端部を第２端部ＴＥ２とする。
６．クリーニング動作
次いで、画像形成装置１におけるクリーニング動作について説明する。
【０１１３】
画像形成動作において、感光ドラム１１に残留したトナーは、図１に示すように、感光ドラム１１が回転することにより、クリーニングユニット８０のブレード８８が、感光ドラム１１と接触し、感光ドラム１１の表面に残留したトナーを掻き取り、除去する。
【０１１４】
そして、感光ドラム１１の表面から除去されたトナーは、フレーム８７内に落下する。
【０１１５】
このとき、クリーニング搬送部材８９は、図示しないギアが感光ドラム１１から駆動力を受けることにより、右側面反視時計回りに回転している。
【０１１６】
これにより、フレーム８７内のトナーは、クリーニング搬送部材８９によって、右方に搬送される。
【０１１７】
そして、フレーム８７内を右方に搬送されたトナーは、図５に示すように、連結部９７を介して、第１搬送管９６内に流入する。
【０１１８】
なお、第１搬送部材９１は、本体ケーシング２の図示しない駆動源からの駆動力が伝達されることにより、正面視時計回りに回転している。
【０１１９】
これにより、第１搬送管９６内に流入したトナーは、第１搬送部材９１によって、前方に搬送される。
【０１２０】
こうして、４つの感光ドラム１１の表面から掻き取られたトナーは、まとめられて、第１搬送管９６内を後方から前方に向けて搬送される。
【０１２１】
そして、第１搬送管９６の前端部に搬送されたトナーは、第２搬送管９８に流入され、トナーの自重により、第２搬送管９８内を右下方に向かって移動し、第３搬送管９９の前端部に流入する。
【０１２２】
なお、第２搬送部材９２は、本体ケーシング２の図示しない駆動源からの駆動力が伝達されることにより、正面視反時計周りに回転している。
【０１２３】
次いで、第３搬送管９９の前端部に流入したトナーは、第２搬送部材９２によって、後方に向かって搬送される。
【０１２４】
これにより、トナーは、第３搬送管９９内において、排出口１０１まで搬送され、排出口１０１を介して、廃トナー収容ユニット１４３の接続部１４６に排出される。
【０１２５】
こうして排出されたトナーは、接続部１４６を介して、本体部１４５内に貯留される。
【０１２６】
また、図３に示すように第２ユニット接点１３８を介して、ベルトユニット５に対して、電力が給電されることにより、図１に示すクリーニングローラ１３５にクリーニングバイアスが印加される。
【０１２７】
さらに、図１に示すように、廃トナー収容ユニット１４３の１次ローラ１４７に対して、１次クリーニングバイアスが印加され、２次ローラ１４８に対して、２次クリーニングバイアスが印加される。
【０１２８】
これにより、ベルト１７上に付着したトナーは、１次ローラ１４７によって捕獲された後、２次ローラ１４８によって捕獲され、本体部１４５内に吐き出される。
【０１２９】
以上により、感光ドラム１１上のトナーと、ベルト１７上のトナーとが除去され、廃トナー収容ユニット１４３の本体部１４５内にまとめられる。
７．ドラムユニット、ベルトユニットおよび廃トナー収容ユニットの着脱動作
ドラムユニット９、ベルトユニット５および廃トナー収容ユニット１４３を本体ケーシング２から離脱させるには、まず、ドラムユニット９を外方位置に移動させる。ドラムユニット９を外方位置に移動させるには、図１に示すように、作業者は、本体ケーシング２のフロントカバー２２を開放する。
【０１３０】
すると、フロントカバー２２の開放動作に連動して、公知の連動機構により、図４に示すように、本体カップリング６１が左方に移動し、対応する感光ドラム１１から離間する。
【０１３１】
次いで、作業者は、ドラムユニット９を把持して、開口２１を介して、ドラムユニット９を前方へ引き出す。
【０１３２】
このとき、ドラムユニット９は、本体ケーシング２の図示しないガイドによって、わずかに前上方へ移動した後、前方へ移動する。
【０１３３】
すると、ドラムユニット９の移動に伴って、ドラム接点１２０と、対応する第３本体接点４３とが離間される。
【０１３４】
また、ドラムユニット９の移動に伴って、シャッタ１１０の突起部１１５と、当接部４０とが離間する。
【０１３５】
これにより、シャッタ１１０は、図２に示すように、付勢部材１１１の付勢力により、正面視反時計回りに回動し、突起部１１５が右方に向かって延びるように配置され、シャッタ本体１１３の周壁によって排出口１０１を閉鎖する閉鎖位置に移動する。
【０１３６】
そして、作業者は、ドラムユニット９を前方へさらに引き出す。
【０１３７】
これにより、ドラムユニット９が外方位置に位置する。
【０１３８】
次いで、ベルトユニット５を本体ケーシング２から離脱させる。ベルトユニット５を離脱させるには、ベルトユニット５を把持して、開口２１を介して、ベルトユニット５を前方へ引き出す。
【０１３９】
すると、図３に示すように、ベルトユニット５は、廃トナー収容ユニット１４３の接続部１４６の第３部分１５９の左方を通過するようにして、前方に移動する。
【０１４０】
こうして、第１ユニット接点１３７と、対応する第１本体接点４１とが離間され、第２ユニット接点１３８と、第２本体接点４２とが離間される。
【０１４１】
これにより、ベルトユニット５が本体ケーシング２から離脱される。
【０１４２】
次いで、図８Ａおよび図８Ｂに示すように、廃トナー収容ユニット１４３を本体ケーシング２から離脱させる。廃トナー収容ユニット１４３を本体ケーシング２から離脱させるには、把持部１５５を把持して、廃トナー収容ユニット１４３の第２端部ＴＥ２を支点として、廃トナー収容ユニット１４３の第１端部ＴＥ１を上方に持ち上げる。つまり、廃トナー収容ユニット１４３は、第２端部ＴＥ２を支点として、回動する。
【０１４３】
すると、図７Ｃおよび図９Ｂに示すように、第１ボス１５１が受入れ部５３から上方に向かって離脱する。また、図示しないが、第２ボス１５２が、第２フレーム３２の第２受入れ部から上方に向かって離脱する。
【０１４４】
次いで、作業者は、廃トナー収容ユニット１４３の第１端部ＴＥ１をさらに上方に持ち上げる。
【０１４５】
すると、図７Ａに示すように、廃トナー収容ユニット１４３の第３部分１５９の上端部が、第１傾斜面３８Ａに当接する。
【０１４６】
そして、廃トナー収容ユニット１４３の第１端部ＴＥ１をさらに上方に持ち上げると、図７Ｂに示すように、第３部分１５９の上端部が第１傾斜面３８Ａに沿って、左方に案内され、廃トナー収容ユニット１４３全体が左方に移動する。
【０１４７】
そして、廃トナー収容ユニット１４３の第１端部ＴＥ１をさらに上方に持ち上げると、図７Ｃに示すように、第３部分１５９が凹部３８よりも左方に位置する。
【０１４８】
これにより、廃トナー収容ユニット１４３の本体部１４５は、第１本体接点４１、第２本体接点４２および第３本体接点４３よりも左方に位置する。
【０１４９】
次いで、作業者は、把持部１５５を把持して、廃トナー収容ユニット１４３を前方に引き出す。
【０１５０】
すると、第３ボス１５３が位置決め部５４から離脱されるとともに、図示しないが、第４ボス１５４が第２フレーム３２の第２位置決め部５４から離脱されるようにして、廃トナー収容ユニット１４３が前方に移動する。
【０１５１】
以上により、ドラムユニット９、ベルトユニット５および廃トナー収容ユニット１４３の離脱動作が完了する。
【０１５２】
また、ドラムユニット９、ベルトユニット５および廃トナー収容ユニット１４３を本体ケーシング２に対して装着するには、上記した離脱動作と逆に操作する。
【０１５３】
詳しくは、作業者は、廃トナー収容ユニット１４３の把持部１５５を把持して、廃トナー収容ユニット１４３を後方へ押し込む。
【０１５４】
このとき、図９Ｂに示すように、廃トナー収容ユニット１４３の第２端部ＴＥ２を第１端部ＴＥ１よりも下方に位置させ、第１ロアフレーム３５の膨出部５１、および、第２ロアフレーム５８の膨出部５１に案内されるようにして、後方へ押し込む。
【０１５５】
すると、廃トナー収容ユニット１４３において、第３ボス１５３が第１ロアフレーム３５の位置決め部５４に嵌まり、第４ボス１５４が図示しないが第２ロアフレーム５８の位置決め部５４に嵌まる。
【０１５６】
これにより、廃トナー収容ユニット１４３の後方への移動が規制される。
【０１５７】
次いで、作業者は、第２端部ＴＥ２を支点として、廃トナー収容ユニット１４３の第１端部ＴＥ１を下方に押し込む。
【０１５８】
これにより、廃トナー収容ユニット１４３は、凹部３８よりも左方において、本体ケーシング２内を下方に移動する。
【０１５９】
すると、廃トナー収容ユニット１４３の本体部１４５の前左端部は、突出部６４の第２傾斜面６４Ａに当接する。
【０１６０】
こうして、本体部１４５は、第２傾斜面６４Ａに沿って右方に案内され、図６Ｂに示すように、廃トナー収容ユニット１４３全体が右方に移動し、接続部１４６が凹部３８に収容される。
【０１６１】
また、このとき、図９Ａに示すように、第１ボス１５１が第１ロアフレーム３５の受入れ部５３に嵌まり、図示しないが第２ボス１５２が第２ロアフレーム５８の受入れ部５３に嵌まる。
【０１６２】
これにより、廃トナー収容ユニット１４３が本体ケーシング２に装着される。
【０１６３】
次いで、ベルトユニット５を本体ケーシング２に対して装着する。ベルトユニット５を本体ケーシング２に対して装着するには、ベルトユニット５を把持して、開口２１を介してベルトユニット５を後方へ押し込む。
【０１６４】
すると、図３に示すように、ベルトユニット５は、廃トナー収容ユニット１４３の接続部１４６の第３部分１５９の左方を通過するようにして、後方に移動する。
【０１６５】
そして、第１ユニット接点１３７と、対応する第１本体接点４１とが接触し、第２ユニット接点１３８と、第２本体接点４２とが接触する。
【０１６６】
これにより、ベルトユニット５が本体ケーシング２に装着される。
【０１６７】
次いで、ドラムユニット９を外方位置から内方位置に移動させる。ドラムユニット９を本体ケーシング２に対して装着するには、作業者は、ドラムユニット９を把持して、開口２１を介して、ドラムユニット９を後方へ押し込む。
【０１６８】
すると、ドラムユニット９は、後方へ移動する。すると、ドラムユニット９の移動途中において、シャッタ１１０の突起部１１５が、本体ケーシング２の当接部４０に当接する。
【０１６９】
次いで、作業者がドラムユニット９をさらに後方へ押し込むと、ドラムユニット９は、図示しないガイドによって案内されて、後下方へ移動し、内方位置に位置する。
【０１７０】
このとき、シャッタ１１０の突起部１１５は、本体ケーシング２の当接部４０に当接されることにより、下方に向かって延びるように配置され、シャッタ１１０が開放位置に位置する。
【０１７１】
これにより、第３搬送管９９の排出口１０１は、廃トナー収容ユニット１４３の接続部１４６の第３部分１５９の連通口１６０に連結される。
【０１７２】
そして、作業者がフロントカバー２２を閉めると、フロントカバー２２の閉鎖動作に連動して、公知の連動機構により、本体カップリング６１が、右方に移動し、対応する感光ドラム１１に嵌まる。
【０１７３】
これにより、ドラムユニット９が本体ケーシング２に装着される。
【０１７４】
以上により、ドラムユニット９、ベルトユニット５および廃トナー収容ユニット１４３の装着動作が完了する。
８．作用効果
（１）この画像形成装置１によれば、図６Ｂおよび図８Ａに示すように、廃トナー収容ユニット１４３の連通口１６０が第１傾斜面３８Ａと上下方向において重なるように配置されるので、廃トナー収容ユニット１４３を本体ケーシング２から離脱させるときに、廃トナー収容ユニット１４３を持ち上げると、連通口１６０が形成される第３部分１５９の上端部が、第１傾斜面３８Ａと接触する。
【０１７５】
そのため、図７Ａおよび図８Ｂに示すように、廃トナー収容ユニット１４３を第１傾斜面３８Ａの傾斜に沿って、左方へ移動させることができる。
【０１７６】
これにより、廃トナー収容ユニット１４３と、本体ケーシング２との間に、左右方向において隙間を形成することができ、廃トナー収容ユニット１４３を本体ケーシング２から離脱させるときに、本体ケーシング２内に配置される部材と接触することを抑制することができる。
【０１７７】
その結果、廃トナー収容ユニット１４３を本体ケーシング２に対して円滑に着脱することができる。
（２）また、この画像形成装置１によれば、図６Ｂおよび図７Ｃに示すように、廃トナー収容ユニット１４３を本体ケーシング２に対して装着するときに、下方に移動させることによって、第２傾斜面６４Ａに沿って右方に移動させることで、廃トナー収容ユニット１４３を凹部３８に向けて容易に移動させることができる。
【０１７８】
その結果、ドラムユニット９が内方位置に位置するときには、上下方向において連通口１６０を第１傾斜面３８Ａと確実に重ならせることができる。
（３）また、この画像形成装置１によれば、図３、図４および図８Ａに示すように、廃トナー収容ユニット１４３は、本体ケーシング２に対して、第１本体接点４１、第２本体接点４２、第３本体接点４３などの電気的接点、および、本体カップリング６１、駆動ギア６２などの駆動入力部と接触しないように着脱される。
【０１７９】
そのため、本体ケーシング２から、第１本体接点４１および第２本体接点４２を介してベルトユニット５の転写ローラ１８およびクリーニングローラ１３５に対して確実に電力を供給し、第３本体接点４３を介してドラムユニット９のスコロトロン型帯電器１２に確実に電力を供給することができる。
【０１８０】
また、本体カップリング６１を介して、ドラムユニット９の感光ドラム１１に対して確実に駆動を入力することができ、駆動ギア６２を介して、ベルトユニット５の駆動ローラ１５に確実に駆動力を入力することができる。
（４）また、この画像形成装置１によれば、図１に示すように、感光ドラム１１上のトナーを、クリーニングユニット８０のブレード８８によって確実に掻き取り、除去することができる。
（５）また、この画像形成装置１によれば、図５に示すように、第１搬送部材９１および第２搬送部材９２がオーガスクリューであるので、搬送管９０内のトナーを確実に搬送することができる。
（６）また、この画像形成装置１によれば、図６Ｂおよび図８Ａに示すように、連通口１６０を備える接続部１４６が本体部１４５よりも上方に延びていることにより、図７Ａおよび図７Ｂに示すように、まず、接続部１４６の第３部分１５９を第１傾斜面３８Ａに当接させて、図７Ｃに示すように、本体部１４５を確実に左方に移動させてから、廃トナー収容ユニット１４３を本体ケーシング２から離脱させることができる。
【０１８１】
その結果、本体部１４５が本体ケーシング２内に配置される部材と接触することを確実に抑制することができる。
（７）また、この画像形成装置１によれば、図５および図８Ａに示すように、接続部１４６が本体部１４５から上方に向かって延び、かつ、中空形状であることにより、接続部１４６を介してトナーを自重により落下させるようにして、本体部１４５に貯留させることができる。
（８）また、この画像形成装置１によれば、図２および図３に示すように、接続部１４６の第３部分１５９が、搬送管９０の周面に沿った周面１５９Ａを備えていることにより、図５に示すように、搬送管９０の排出口１０１から、トナーを漏らすことなく、連通口１６０に排出することができる。
（９）この画像形成装置１によれば、図６Ｂおよび図７Ａに示すように、廃トナー収容ユニット１４３を本体ケーシング２に装着するときに、廃トナー収容ユニット１４３を右方に移動させることができる。
【０１８２】
そのため、廃トナー収容ユニット１４３の接続部１４６を凹部３８内に確実に配置することができる。
【０１８３】
また、廃トナー収容ユニット１４３を本体ケーシング２から離脱させるときには、図７Ａおよび図７Ｂに示すように、接続部１４６の第３部分１５９の上端部を第１傾斜面３８Ａに当接させることにより、廃トナー収容ユニット１４３を左方に移動させることができる。
【０１８４】
これにより、廃トナー収容ユニット１４３と、本体ケーシング２との間に、左右方向において隙間を形成することができ、本体ケーシング２内に配置される部材と接触することを抑制することができる。
【０１８５】
その結果、廃トナー収容ユニット１４３を本体ケーシング２に対して円滑に着脱することができる。
（１０）また、この画像形成装置１によれば、図９Ａおよび図９Ｂに示すように、第２端部ＴＥ２において、第３ボス１５３を第１フレーム３１の位置決め部５４に嵌め、第４ボス１５４を第２フレーム３２の位置決め部５４に嵌めることで、廃トナー収容ユニット１４３を本体ケーシング２に対して位置決めした後に、第２端部ＴＥ２を支点として廃トナー収容ユニット１４３を回動させることで、第１端部ＴＥ１を本体ケーシング２に対して容易に位置決めすることができる。
【０１８６】
そのため、廃トナー収容ユニット１４３を本体ケーシング２に対して円滑に装着することができる。
９．第２実施形態
図１０を参照して、本発明の第２実施形態を説明する。なお、第２実施形態において、上記した第１実施形態と同様の部材には、同様の符号を付し、その説明を省略する。
【０１８７】
上記した実施形態では、図３および図８Ｂに示すように、ベルトユニット５と、廃トナー収容ユニット１４３とは、本体ケーシング２に対して別々に着脱されている。
【０１８８】
これに対して、本発明の第２実施形態では、図１０に示すように、ベルトユニット５と廃トナー収容ユニット１４３とが一体として構成されている。
【０１８９】
これにより、ベルトユニット５と、廃トナー収容ユニット１４３とは、まとめて、本体ケーシング２に対して着脱される。
【０１９０】
この第２実施形態の画像形成装置１によれば、図１０に示すように、ベルトユニット５が廃トナー収容ユニット１４３と一体として構成されていることにより、ベルトユニット５と廃トナー収容ユニット１４３とを、本体ケーシング２からまとめて着脱させることができる。
【０１９１】
また、この第２実施形態においても、上記した第１実施形態と同様の作用効果を得ることができる。
【符号の説明】
【０１９２】
１        画像形成装置
２        本体ケーシング
５        ベルトユニット
９        ドラムユニット
１１      感光ドラム
１７      ベルト
１８      転写ローラ
３１      第１フレーム
３８      凹部
３８Ａ    傾斜面
４１      第１本体接点
４２      第２本体接点
４３      第３本体接点
６１      本体カップリング
６２      駆動ギア
８０      クリーニングユニット
８１      搬送ユニット
８８      ブレード
９０      搬送管
９１      第１搬送部材
９２      第２搬送部材
１０１    排出口
１３６    ベルトフレーム
１３７    第１ユニット接点
１４３    廃トナー収容ユニット
１４５    本体部
１４６    接続部
１５９Ａ  周面
１６０    連通口
ＢＥ１    第１端部
ＢＥ２    第２端部
ＴＥ１    第１端部
ＴＥ２    第２端部
【図１】
0006365378.tif 000002
【図２】
0006365378.tif 000003
【図３】
0006365378.tif 000004
【図４】
0006365378.tif 000005
【図５】
0006365378.tif 000006
【図６】
0006365378.tif 000007
【図７】
0006365378.tif 000008
【図８】
0006365378.tif 000009
【図９】
0006365378.tif 000010
【図１０】
0006365378.tif 000011